【手続補正書】
【提出日】平成18年10月2日(2006.10.2)
【手続補正１】
【補正対象書類名】明細書
【補正対象項目名】発明の名称
【補正方法】変更
【補正の内容】
【発明の名称】画像処理装置
【手続補正２】
【補正対象書類名】明細書
【補正対象項目名】特許請求の範囲
【補正方法】変更
【補正の内容】
【特許請求の範囲】
【請求項１】  入力された画像信号の水平方向のアパーチャ補正に必要な第１の画像補正信号を生成する第１の画像補正信号生成手段と、
前記画像信号の斜め方向のアパーチャ補正に必要な第２の画像補正信号を生成する第２の画像補正信号生成手段と、
前記画像信号の垂直方向のアパーチャ補正に必要な第３の画像補正信号を生成する第３の画像補正信号生成手段と、
前記画像信号と、前記第１、第２および第３の画像補正信号とを用いて、アパーチャ補正された輝度信号を生成する輝度信号生成手段とを有することを特徴とする画像処理装置。
【請求項２】  前記第１の画像補正信号生成手段は、
前記画像信号から垂直方向の低周波成分を有する垂直低域信号を抽出する垂直低域信号抽出手段と、
前記垂直低域信号から水平方向の高周波成分を有する第１の水平高域信号を抽出する第１の水平高域信号抽出手段と、
前記垂直低域信号から水平方向の高周波成分を有する第２の水平高域信号を抽出する第２の水平高域信号抽出手段とを有し、
前記第１の水平高域信号と前記第２の水平高域信号とを用いて、前記第１の画像補正信号を生成することを特徴とする請求項１に記載の画像処理装置。
【請求項３】  前記第１の水平高域信号抽出手段は、前記第２の水平高域信号抽出手段と異なる周波数特性を有することを特徴とする請求項２に記載の画像処理装置。
【請求項４】  前記第１の画像補正信号生成手段は、
前記第１の水平高域信号の出力レベルおよびベースクリップレベルの少なくとも一つを調整する第１の調整手段と、
前記第２の水平高域信号の出力レベルおよびベースクリップレベルの少なくとも一つを調整する第２の調整手段とをさらに有することを特徴とする請求項２または３に記載の画像処理装置。
【請求項５】  前記第２の画像補正信号生成手段は、
前記画像信号から垂直方向の高周波成分を有する第２の垂直高域信号を抽出する第２の垂直高域信号抽出手段と、
前記第２の垂直高域信号から水平方向の高周波成分を有する第３の水平高域信号を抽出する第３の水平高域信号抽出手段とを有し、
前記第３の水平高域信号を用いて、前記第２の画像補正信号を生成することを特徴とする請求項１から４のいずれかに記載の画像処理装置。
【請求項６】  第２の画像補正信号生成手段は、前記第３の水平高域信号の出力レベルおよびベースクリップレベルの少なくとも一つを調整する第３の調整手段をさらに有することを特徴とする請求項５に記載の画像処理装置。
【請求項７】  前記第３の画像補正信号生成手段は、
前記画像信号から垂直方向の高周波成分を有する第１の垂直高域信号を抽出する第１の垂直高域信号抽出手段と、
前記第１の垂直高域信号から水平方向の低周波成分を有する水平低域信号を抽出する水平低域信号抽出手段とを有し、
前記水平低域信号を用いて、前記第３の画像補正信号を生成することを特徴とする請求項１から６のいずれかに記載の画像処理装置。
【請求項８】  第３の画像補正信号生成手段は、前記水平低域信号の出力レベルおよびベースクリップレベルの少なくとも一つを調整する第４の調整手段をさらに有することを特徴とする請求項７に記載の画像処理装置。
【手続補正３】
【補正対象書類名】明細書
【補正対象項目名】０００１
【補正方法】変更
【補正の内容】
【０００１】
【発明の属する技術分野】
本発明は、デジタルカメラ等の画像処理装置に用いて好適なものである。
【手続補正４】
【補正対象書類名】明細書
【補正対象項目名】０００９
【補正方法】変更
【補正の内容】
【０００９】
本発明は、上述の問題を解決するために成されたものであり、アパーチャ補正等の画像補正を施しても、不自然な画像を生成することなく高画質な画像を生成できるようにすることを目的とする。
【手続補正５】
【補正対象書類名】明細書
【補正対象項目名】００１０
【補正方法】変更
【補正の内容】
【００１０】
【課題を解決するための手段】
本発明に係る画像処理装置は、例えば、入力された画像信号の水平方向のアパーチャ補正に必要な第１の画像補正信号を生成する第１の画像補正信号生成手段と、前記画像信号の斜め方向のアパーチャ補正に必要な第２の画像補正信号を生成する第２の画像補正信号生成手段と、前記画像信号の垂直方向のアパーチャ補正に必要な第３の画像補正信号を生成する第３の画像補正信号生成手段と、前記画像信号と、前記第１、第２および第３の画像補正信号とを用いて、アパーチャ補正された輝度信号を生成する輝度信号生成手段とを有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２３
【補正方法】変更
【補正の内容】
【００２３】
１０は垂直ノッチ回路、１１は水平ノッチ回路であり、ＣＣＤ１の色フィルタで変調された画像信号から補正の施されていない輝度信号である輝度基準信号Ｙｈを生成する。垂直ノッチ回路１０および水平ノッチ回路１１は、ナイキスト周波数に零点を持った７タップのフィルタでそれぞれ構成されている。１２は輝度基準信号Ｙｈとアパーチャ補正信号Ｙａとを加算する加算器、１３は加算器１２でアパーチャ補正が施された輝度信号のガンマ変換を行う輝度ガンマ回路である。
【手続補正１６】
【補正対象書類名】明細書
【補正対象項目名】００２４
【補正方法】変更
【補正の内容】
【００２４】
１４は７タップのフィルタで構成される垂直ローパスフィルタ（ＬＰＦ）回路であり、画像信号の垂直低域成分を抽出する。１５は７タップのフィルタで構成される第１の水平バンドパスフィルタ（ＢＰＦ）回路、１６は１１タップのフィルタで構成される第２の水平ＢＰＦ回路であり、それぞれ画像信号の水平高域信号を抽出する。１７、１８は第１、第２のゲイン調整回路であり、それぞれ入力される画像信号に対してベースクリップレベルおよび出力ゲインの調整を行う。
【手続補正１７】
【補正対象書類名】明細書
【補正対象項目名】００２５
【補正方法】変更
【補正の内容】
【００２５】
ここで、上記１４〜１８の各ブロックは水平方向のアパーチャ補正信号を生成するブロックである。
【手続補正１８】
【補正対象書類名】明細書
【補正対象項目名】００２６
【補正方法】変更
【補正の内容】
【００２６】
１９は７タップのフィルタで構成される第１の垂直ＢＰＦ回路であり、画像信号の垂直高域信号を抽出する。２０は７タップのフィルタで構成される第３の水平ＢＰＦ回路であり、画像信号の水平高域信号を抽出する。２１は第３のゲイン調整回路であり、入力される画像信号に対してベースクリップレベルおよび出力ゲインの調整を行う。上記１９〜２１の各ブロックは斜め方向のアパーチャ補正信号を生成するブロックである。
【手続補正１９】
【補正対象書類名】明細書
【補正対象項目名】００２７
【補正方法】変更
【補正の内容】
【００２７】
２２は７タップのフィルタで構成される第２の垂直ＢＰＦ回路であり、画像信号の垂直高域信号を抽出する。２３は７タップのフィルタで構成される水平ＬＰＦ回路であり、画像信号の水平低域信号を抽出する。２４は第４のゲイン調整回路であり、入力される画像信号に対してベースクリップレベルおよび出力ゲインの調整を行う。上記２２〜２４の各ブロックは垂直方向のアパーチャ補正信号を生成するブロックである。
【手続補正２０】
【補正対象書類名】明細書
【補正対象項目名】００２８
【補正方法】変更
【補正の内容】
【００２８】
２５〜２７は加算器であり、第１および第２のゲイン調整回路１７、１８から出力される水平方向のアパーチャ補正信号と、第３のゲイン調整回路２１から出力される斜め方向のアパーチャ補正信号と、第４のゲイン調整回路２４から出力される垂直方向のアパーチャ補正信号とを加算する。２８はアパーチャ抑圧回路であり、低輝度時や高輝度時には第１の抑圧制御信号Ｙｓに従って、加算器２７から出力されたアパーチャ補正信号のゲインを下げることにより、アパーチャ補正の効果を抑圧する。２９はＬＰＦ回路で構成された抑圧制御信号生成回路であり、水平ノッチ回路１１より出力された輝度基準信号Ｙｈの低周波成分を抽出して、第１の抑圧制御信号Ｙｓおよび第２の抑圧制御信号Ｙｓ’を生成する。
【手続補正２１】
【補正対象書類名】明細書
【補正対象項目名】００３７
【補正方法】変更
【補正の内容】
【００３７】
また、信号線Ｌ０を介して入力端子ＩＮ２３より垂直ＬＰＦ回路１４に入力された画像信号は、除算器２１５および２１９でそれぞれ１／２倍され、その結果６４／２５６倍となり出力端子ＯＵＴ２０を介して出力される。したがって、垂直ＬＰＦ回路１４のフィルタ係数は〔１１  ３２  ５３  ６４ ５３  ３２  １１〕／２５６となる。よって、この垂直ＬＰＦ回路１４は、周波数が０Ｈｚ、すなわち直流成分でゲインが１となり、周波数が増加するとともにゲインが減少するような図７に示す周波数特性を持つＬＰＦ回路を構成する。なお、図７については後述する。
【手続補正２２】
【補正対象書類名】明細書
【補正対象項目名】００４３
【補正方法】変更
【補正の内容】
【００４３】
また、入力端子ＩＮ３０から減算器３１０の出力までのフィルタ係数は、入力端子ＩＮ３０から減算器３０８の出力までの前段のフィルタと、減算器３０８の出力から減算器３１０の出力までの後段のフィルタとのコンボリューション（畳込み）で求められ、〔１  −２  −１  ４  −１  −２  １〕／２となる。したがって、第１の水平ＢＰＦ回路１５は、そのフィルタ係数が〔１  −２  −１ ４  −１  −２  １〕／８となり、後述する図８（ａ）のような周波数特性を持つＢＰＦ回路を構成する。
【手続補正２３】
【補正対象書類名】明細書
【補正対象項目名】００５７
【補正方法】変更
【補正の内容】
【００５７】
したがって、第１の垂直ＢＰＦ回路１９は、そのフィルタ係数が〔１  −２ −１  ４  −１  −２  １〕／８となり、後述する図８（ａ）のような周波数特性を持つＢＰＦ回路を構成する。
【手続補正２４】
【補正対象書類名】明細書
【補正対象項目名】００６０
【補正方法】変更
【補正の内容】
【００６０】
上記加算器６０７の出力信号は、除算器６１６に入力されて１／２倍され、更に除算器６１７で１／２倍される。これにより、加算器６０７の出力信号は１／４倍され、除算器６１７から出力される。また、加算器６０８の出力信号は、加算器６０９、６１０を介して除算器６１７に入力されて１／２倍、すなわち２／４倍されて除算器６１７から出力される。同様に、遅延素子６０２の出力信号も、２／４倍されて除算器６１７から出力される。したがって、入力端子ＩＮ６０から除算器６１７の出力までの前段のフィルタは、フィルタ係数〔１  ２  ２ ２  １〕／４で表されるフィルタの周波数特性を持つ。
【手続補正２５】
【補正対象書類名】明細書
【補正対象項目名】０１０３
【補正方法】変更
【補正の内容】
【０１０３】
【発明の効果】
本発明によれば、水平方向の画像補正信号と垂直方向の画像補正信号のみでは補正しにくい周波数成分を斜め方向の画像補正信号により補正することができるので、補正を強めても丸い被写体が角ばったり画像の輪郭がつき過ぎるなどの不自然な画像を生成することなく、高画質な画像を生成することができる。
【手続補正２６】
【補正対象書類名】明細書
【補正対象項目名】０１０４
【補正方法】削除
【補正の内容】
【手続補正２７】
【補正対象書類名】明細書
【補正対象項目名】０１０５
【補正方法】削除
【補正の内容】
【手続補正２８】
【補正対象書類名】明細書
【補正対象項目名】０１０６
【補正方法】削除
【補正の内容】